(57)【要約】【課題】従来の花をまとめるブーケ作成方法では、片方の手で花を支えながらスパイラル状に組んでいくため、花の重みで手が痛くなったり、形をとるには熟練した技術を要した。また、アレンジメントには、吸水性フォームを使用するのが一般的であるが、毎回ゴミになるなど、環境面で問題があった。【解決手段】ブーケ補助具を使用する事により、花首を支えて形状に沿ったブーケが簡単に作成できる。また、それ以外の大きめのブーケを作成する場合は、ゴムの滑り止め機能により、茎を固定しながらまとめる事ができるため、手にかかる負担を減らすことができる。また、ゴム材から成る花留めは、幾層かのゴム部で花を支えるため花の固定度に優れており、繰り返し使用が可能で花を傷めることもない。暮らしの飾り花に適している。【選択図】図１
2015181928.tif 000002
【特許請求の範囲】
【請求項１】
均一な形状の穴・網目状、又は、不揃いな形状の穴・網目状を等間隔に有した、樹脂・ゴム材から成る、球体・回転楕円体状のもので中空洞のもの、又は、半球・半回転楕円体・キューブ・フラット状等の形状に形成した中空洞の底部が空洞のものであって、前記穴・網目状で花首を支え、穴・網目に花を挿花しながらその形状に沿ったブーケを作成できる、手で組むブーケ作成時に芯となるブーケ補助具。
【請求項２】
均一な形状の穴状、又は、不揃いな形状の穴状を等間隔に有した、球体・回転楕円体状、又は、様々な立体形状に形成した中空洞のものであって、前記穴状から穴状に生花を挿花し、２箇所の穴で生花を留めながら、手で組むブーケ作成時に芯となる、ゴム材から成るのを特徴とするブーケ補助具。
【請求項３】
均一な形状の穴状、又は、不揃いな形状の穴状を等間隔に有した、球体・回転楕円体状、又は、様々な立体形状をした中空洞のもの、又は、前記中空洞内部にも、穴状を有するように形成したゴム材から成るものであって、前記穴状から穴状に生花を挿花し、幾箇所の穴で生花を留めながら花形をとるものであって、花器との調整によっては、樹脂や金属材から成る様々な形状のフレーム（骨格）を組み合わせて、花器に固定して使用するフラワーアレンジメント花留め。
【発明の詳細な説明】
【技術分野】
【０００１】  本発明は、暮らしの飾り花に、花をまとめる簡易化を図ったブーケ補助具と花留めに関する。
【背景技術】
【０００２】  ブーケ作成には、手で花をスパイラル状に組んで束ねたものを、最後にラフィア等の紐状のもので縛る方法が一般的である。
また、吸水性フォームと補強カバーと握り部からなるブーケホルダーに、花を挿してブーケを作成する方法もある（特許文献１参照）。【０００３】  フラワーアレンジメント花留めには、吸水性フォームに花を挿花する方法が一般的である。
また、樹脂や金属材から成る、穴、網目状に花を挿花するものもある。【０００４】
【特許文献１】特開平９−１９１９９０
【発明の開示】
【発明を解決しようとする課題】
【０００５】  上記に述べた従来の手でスパイラル状に組むブーケ作成方法では、花に手の熱を伝えないように、素早く作成することが要求されるが、花の重みで手に負担がかかり、綺麗に花をまとめるためには、熟練した技術を必要とする。
また、ブーケホルダーでは、茎を短めに切って挿す手法をとるため、茎をまとめるものではなく、使い捨てであり、暮らしの飾り花には向いていない。
【０００６】  上記に述べた吸水性フォームのフラワーアレンジメント花留では、使用する前に吸水するなどの準備が必要であり、手間がかかる。また、使い捨てであり、毎回ゴミになり環境上も好ましくなく、吸水時に、フォームの破片が落ちるなど汚くもある。
また、樹脂、金属材から成る花留めでは、花の固定力が弱いものであった。
【０００７】  本発明は、このような従来の手法が有していた問題を解決しようとするものであり、暮らしの中で飾る花を、誰にでも容易に、早く綺麗にまとめることのできる、繰り返し使用可能なブーケ補助具とフラワーアレンジメント花留めを実現することを目的とするものである。
【課題を解決するための手段】
【０００８】  そして、本発明は上記目的を達成するために、均一な形状の穴・網目状、又は、不揃いな形状の穴・網目状を等間隔に有した、球体・回転楕円体状のもので中空洞のもの、又は、半球・半回転楕円体・キューブ・フラット状等の形状に形成した中空洞の底部が空洞のもので、材質が樹脂・ゴム材から成るものである。
【０００９】  また、第２の課題解決手段は、均一な形状の穴状、又は、不揃いな形状の穴状を等間隔に有した、球体・回転楕円体状、又は、様々な立体形状に形成した中空洞のもので、材質がゴム材から成るものである。
【００１０】  また、第３の課題解決手段は、均一な形状の穴状、又は、不揃いな形状の穴状を等間隔に有した、球体・回転楕円体状、又は、様々な立体形状をした中空洞のもの、又は、前記中空洞内部にも、穴状を有するように形成したゴム材から成るものであり、花器との調整によっては、樹脂や金属材から成る様々な形状のフレーム（骨格）を組み合わせる。
【００１１】  上記第１の課題解決手段による作用は次の通りである。ブーケ補助具を片方の手に持って、中心の穴・網目状からスパイラル状に花を挿花しながら組んでいくことにより、花首を、穴・網目で支えながら、容易につくりたい形状に沿ったブーケを作成できる。また、最後に、花の高さを楽に修正できる。
【００１２】  また、第２の課題解決手段による作用は次の通りである。ブーケ補助具を片方の手に持って、中心の穴・網目状からスパイラル状に、穴状から穴状に花を挿花し、２箇所の穴で花を留めながら組んでブーケを作成できる。組んだ後から、花の高さを修正することも可能である。大き目のブーケを作成する場合は、大体の形を組んでから花器に移し、残りの花をバランスよく追加することもできる。手で花を支える負担を減らし、花を傷めず、容易にブーケを作成できる。
【００１３】  また、第３の課題解決手段による作用は次の通りである。花器の中に花留めを固定し、穴状から穴状に花を挿花して幾箇所の穴状で花を留めながら花形をとることができる。ゴムの滑り止め機能により、花の固定度が増し、花を傷めることもなく、水を張った状態で花を生けることが可能である。花留めにフレーム（骨格）を取り付けることで、様々な花器に使用することができる。
【発明の効果】
【００１４】  上述したように本発明のブーケ補助具は、手に負担をかけずに、誰にでも容易に形の整ったブーケを、茎を束ねる手法で作成できる。また、使い捨てではなく繰り返し使用が可能である。
【００１５】  また、本発明のフラワーアレンジメント花留めは、水を張った状態で使用できる、花の固定度を増したものであり、ゴミにもならず繰り返し使用可能なため、環境にも優しい清潔な花留めを提供できる。
【図面の簡単な説明】
【００１６】
【図１】本発明の実施形態を示すブーケ補助具と花留めの正面図
【図２】ブーケ補助具の参考例の斜視図
【図３】ブーケ補助具の参考例の斜視図
【図４】ブーケ補助具の参考例の斜視図
【図５】ブーケ補助具の参考例の平面図
【図６】図５の正面図
【図７】花留めの参考例の断面図
【図８】花留めの参考例の斜視図
【図９】図８の使用例の正面図
【図１０】図１の使用例の正面図
【符号の説明】
【００１７】  １１  穴
１２  網目
１３  接合部
１４  Ｏリング
１５  ゴム紐
１６  フレーム
１７  重り
１８  花器
１９  花
【発明を実施するための最良の形態】
【００１８】  以下、本発明の実施の形態を図１〜図１０に基づいて説明する。【００１９】  図においては、１はブーケ補助具と花留めに使用されるものであり、不揃いな形状の穴１１を等間隔に有した、球体状で中空洞のものであり、ゴム材から成る。【００２０】  図においては、２は不揃いな網目１２を有した半回転楕円体で中空洞の底部が空洞のもので樹脂材から成る。【００２１】  図においては、３は均一な網目１２を有したキューブ状の底部が空洞のもので樹脂材から成る。【００２２】  図１から３は、ブーケ補助具の例であり、片方の手に持って、中心から、穴、網目に花を挿花しながら、スパイラル状に組んでいく。穴、網目部で花首を支え、底部の穴、又は、空洞部で茎をまとめることにより、補助具の形に添った形状のブーケを簡単に作成することができる。図１では、球体に近いもの、図２では、半球状に近いもの、図３では、側面が平らで綺麗な四角形のキューブ状のブーケを作成できる。中心がずれることもなく、後から、花を引き出し、花の高さを揃えてバランスをとることも可能であり、熟練した技術がなくとも、形の整った、暮らしの中で飾るブーケを作成することができる。【００２３】  図においては、４は板状のゴムに様々な形状の穴１１を等間隔に空け、星型多角形状に切り抜いて、外端部をゴム材のＯリング１４にゴム紐１５で接合し、立体形状に形成した中空洞のものである。【００２４】  図においては、５は板状のゴムに様々な形状の穴１１を等間隔に空け、星型多角形状に切り抜いたものの端部を、同じように穴を空け、別の形状に切り抜いたものとゴム紐１５で接合し、立体形状に形成した中空洞のものである。【００２５】  図においては、６は図５の正面図である。【００２６】  図１と図４、図５は、ブーケ補助具の例であり、片方の手に持って、穴から穴に花を挿花し、２箇所のゴム穴部で花を留めながらブーケを組むことにより、手に負荷をかけずに、楽に花形を取ることができ、簡単に大き目のブーケを作成できる。【００２７】  図においては、７は板状のゴムに様々な形状の穴１１を等間隔に空けて、星型多角形状に切り抜いたものを２枚つくり、その端部と端部を、図１の球形状のものが内部にくるようにゴム紐１５で接合し立体状に形成した花留めである。【００２８】  図においては、８は板状のゴムに様々な形状の穴を等間隔に空けて、星型多角形状に切り抜いたものの端部をＯリングにゴム紐で接合し、これに、同様に切り抜いたものの端部をゴム紐で接合し、ゴム穴１１を内部にも有するように立体状に形成した花留めである。【００２９】  図においては、９は図８の花留めに樹脂でできた、リング状のフレーム１６を取り付け、花器１８に置いて使用した状態の参考図である。【００３０】  図においては、１０は重り１７にステンレスから成る円柱形で上部と下部の空いた網目状のフレーム１６を取り付け、図１の花留めを上部に固定し使用した状態の参考図である。【００３１】  図１と図７、図８は、花留めの例であり、ゴム材質の滑りにくい特徴を生かし、穴１１と穴１１、もしくは、立体中空洞内部にもゴム穴１１を有することにより、幾箇所の穴１１で花を留めながら花形のとれる固定度の高い花留めとなった。又、フレーム１６��重り１７を組み合わせることにより、色々な花器に生けることが可能となる。【００３２】  また、ゴム材であるため、繰り返し使用が可能であり、本実施形態により、環境にも良いエコロジカルな花のある暮らしを実現することができる。
【図１】
2015181928.tif 000003
【図２】
2015181928.tif 000004
【図３】
2015181928.tif 000005
【図４】
2015181928.tif 000006
【図５】
2015181928.tif 000007
【図６】
2015181928.tif 000008
【図７】
2015181928.tif 000009
【図８】
2015181928.tif 000010
【図９】
2015181928.tif 000011
【図１０】
2015181928.tif 000012